(57)【要約】      （修正有）【課題】構成の簡素化、有効的な発光効率、省エネと二酸化炭素削減ができるランプ改良装置を提供する。【解決手段】複数のランプボディ１２が設けられる第１フラッシュボード１と、下スロット１１と上スロット２１により交互に挿入されて、複数のランプボディ１２が設けられる第２フラッシュボード２と、下方にランプボディ１２と電気的に接続させる嵌合部１３，２３と、第１フラッシュボードと第２フラッシュボードの下方に設けられる嵌合部のソケット３１１と、回路基板３１を有するランプソケット３と、によりランプの改良装置を構成する。【選択図】図１
2014183036.tif 000002
【特許請求の範囲】
【請求項１】
表面が選択的に直列又は並列によって複数のランプボディが設けられる第１フラッシュボードと、前記第１フラッシュボードの中央下部に下のスロット及びその下方がランプボディと電気的に接続させる２ポールを形成する２嵌合部と、交互に第１フラッシュボードに挿入されて、その表面が選択的に直列又は並列によって複数のランプボディが設けられる第２フラッシュボードと、前記第２フラッシュボードの中央上部に第１フラッシュボードにおける下のスロットに対応する上のスロットが設けられて、その下方がランプボディと電気的に接続させる２ポールを形成する嵌合部と、第１フラッシュボードと第２フラッシュボードの下方に設けられるランプソケットと、そのランプソケット内に回路基板及び交互に挿入される第１フラッシュボード、第２フラッシュボードに対応する下方はポールを有する嵌合部のソケットと、回路基板は、交互に挿入される第１フラッシュボード、第２フラッシュボードの間にあって、また直列して上方、下方が暗域を生成するのを防ぐ少なくとも４ランプボディと、を備えるランプの改良装置。
【請求項２】
前記第１フラッシュボードに設置されるランプボディは、ＬＥＤ又は他の様々な発光可能である素子を特徴とする請求項１記載のランプの改良装置。
【請求項３】
前記第２フラッシュボードに設置されるランプボディは、ＬＥＤ又は他の様々な発光可能である素子を特徴とする請求項１記載のランプの改良装置。
【請求項４】
前記ランプソケットの回路基板が設置されるランプボディは、ＬＥＤ又は他の様々な発光可能である素子を特徴とする請求項１記載のランプの改良装置。
【発明の詳細な説明】
【発明の詳細な説明】
【技術分野】
【０００１】  本発明は、ランプに関し、特に複数のランプボディを有する第１のフラシュボードと第２のフラシュボードを交互に挿入される装置によって組み合わせて、その下方の回路基板に上方、下方が暗域を生成するのを防ぐ複数のランプボディが設けられるランプの改良装置に関する。
【従来技術】
【０００２】  現在、環境意識が高められて、一般に照明として使われる白熱電球は、徐徐に省エネで環境に優しくて不可欠な必需品というＬＥＤになっていく。ＬＥＤのサイズが小さいので、大量の光源を生成して、照明又は他の用途の使用できない。よって、ＬＥＤを集める装置（図５、図６、図７に示すのは、従来品の立体分解図、立体組合せ図、組合せ断面図である）が知られている。
【０００３】  その主な装置は固定架５４に直立正方形で長い柱状五面体が設けられる。即ち、上記従来品に形成する四面体を覆う四枚プレート５があり、前記形成される四面体のプレート５の上方に上部カバー５２が設けられる。前記四面体の四枚プレート５と前記四枚プレート５の上方にある上部カバー５２には、その光源が集中できないので、大量のＬＥＤ５１、５２１を設置して八方から発光させる。従来品の構成の設計の欠点を下記に述べる。
【０００４】  前記四枚プレート５を固定させるために下方に少なくとも二つ以上のプラグ５０を設置しなければならない。又、挿入するために、固定架５４は、対応するところに少なくとも二個以上の挿入孔５４１を設置する必要がある。組み合わせる時、部品が単一の小さい本体に散らばって、プレート５毎に単一の部材が組み合わせて挿入するのはかなり困難である。プレート５のプラグ５０と固定架５４の挿入孔５４１の間に、人の手で一つ一つ整列して挿入する外、挿入する時、上方に固定される構成がないので、どのように挿入するとしてもゆがみが生じる。
【０００５】  四枚プレート５は、精密な正方形で長い柱状を形成できない。上部カバー５２に合わない状況になり、挿入した後、プレート５毎に隣接及びプレート５の上方にある上部カバー５２の間とのスリットは、粘着剤で接着する必要である。前記四枚プレート５が互いに接着されても、もしずれがあると解体できず不良品になる。不良品の数がかなり多くなって組み合わせが困難である。手間と時間がかかり、複数のプレート５と上部カバー５２があるので、材料コストがかかる。正方形で長い柱状に設置されるＬＥＤ５１、５２１は、光源を集中して、有効に外に射出することができないので、発光効率が大幅に削減される。これらは等業者と消費者が超えようする課題である。
【０００６】  本発明者は、このポイントで考えてから設計を行い、複数のランプボディを有する第１フラッシュボードと第２フラッシュボードを交互に挿入される装置によって組み合わせることができた。下方の回路基板に上方、下方が暗域を生成するのを防ぐ複数のランプボディが設けられる。これによって、構成の簡素化、光源の集め、迅速で容易に組み立てること、材料コストの削減、有効的に発光効率、省エネと二酸化炭素削減という効果を向上させることができるランプの改良装置を発明した。
【発明の概要】
【発明が解決しようとする課題】
【０００７】  上述のように、従来技術の欠点を解決するために、本発明の主要な目的は、構成の簡素化、光源の集め、有効的な発光効率、省エネと二酸化炭素削減という効果を向上させることができる、従来技術における困難を克服できるランプの改良装置を提供することにある。【０００８】  本発明の副次的な目的は、迅速で容易に組み立てること、材料コストの削減、及び不良品がでにくいランプの改良装置を提供することにある。【０００９】  本発明の解決しようとする課題は、従来品が主にＬＥＤを集める構成で、固定架に直立正方形で長い柱状五面体が設けられる。即ち、従来品に形成する四面体を覆う四枚プレートがあり、形成される四面体のプレートの上方に上部カバーが設けられる。光源が集中できないという欠陥が補うために、大量のＬＥＤを設置することだけによって八方から発光させる。又、従来品の構成の設計上の欠点は次の通りである。【００１０】  四枚プレートを固定させるために下方に少なくとも二個以上のプラグを設置しなければならない。挿入することが提供できるために、固定架は、対応するところに少なくとも二個以上の挿入孔を設置しなければならない。組み合わせる時、部品が単一の小さい本体に散らばって、単一の部材が組み合わせて挿入するのはかなり困難である。プレートのプラグと固定架の挿入孔の間に、人の手で一つ一つアラインメントして挿入する外、挿入する時、上方に固定される構成がないので、どのように挿入するとしてもゆがみが生じる。【００１１】  四枚プレートは精密な正方形で長い柱状が形成できない。上部カバーに合わない状況だと、挿入した後、プレート毎に隣接及びプレートの上方にある上部カバーの間とのスリットは、粘着剤で接着する必要がある。四枚プレートが互いに接着されても、もしずれがあると解体できずに不良品になる。不良品の数がかなり多くなって組み合わせが容易ではなく、手間と時間がかかる。複数のプレートと上部カバーがあるため、材料コストが増えて、正方形で長い柱状に設置されるＬＥＤは、光源を集中して、有効に外に射出することができなく、発光効率が大幅に削減される。
【課題を解決するための手段】
【００１２】  上述の目的に達成するために、本発明は、表面が選択的に直列又は並列によって複数のランプボディが設けられる第１フラッシュボードと、前記第１フラッシュボードの中央下部に下のスロット及びその下方がランプボディと電気的に接続させる２ポールを形成する２嵌合部と、交互に第１フラッシュボードに挿入されて、その表面が選択的に直列又は並列によって複数のランプボディが設けられる第２フラッシュボードと、前記第２フラッシュボードの中央上部に第１フラッシュボードにおける下のスロットに対応する上のスロットが設けられて、その下方がランプボディと電気的に接続させる２ポールを形成する嵌合部と、第１フラッシュボードと第２フラッシュボードの下方に設けられるランプソケットと、そのランプソケット内に回路基板及び交互に挿入される第１フラッシュボード、第２フラッシュボードに対応する下方はポールを有する嵌合部のソケットと、回路基板は、交互に挿入される第１フラッシュボード、第２フラッシュボードの間にあって、又、直列して上方、下方が暗域を生成するのを防ぐ少なくとも４ランプボディと、を備えるランプの改良装置を提供する。【００１３】  本発明において、第１フラッシュボードに設置されるランプボディは、ＬＥＤ又は他の様々な発光可能である素子にしてもよい。【００１４】  本発明において、第２フラッシュボードに設置されるランプボディは、ＬＥＤ又は他の様々な発光可能である素子にしてもよい。【００１５】  本発明において、ランプソケットの回路基板が設置されるランプボディは、ＬＥＤ又は他の様々な発光可能である素子にしてもよい。
【発明の効果】
【００１６】  上記構成により、本発明は構成の簡素化、光源の集め、迅速で容易な組み立て、材料コストの削減、有効的な発光効率、省エネと二酸化炭素削減の効果を向上させることができるランプの改良装置である。
【図面の簡単な説明】
【００１７】
【図１】は、本発明の立体分解図である。
【図２】は、本発明の立体組合せ図である。
【図３】は、本発明の組合せ断面図である。
【図４】は、本発明の光源を生成する作用図である。
【図５】は、従来品の立体分解図である。
【図６】は、従来品の立体組合せ図である。
【図７】は、従来品の組合せ断面図である。
【発明を実施するための最良の形態】
【００１８】  本発明の特徴、内容、効果及び達成できる効果を図面に基づいて、実施の形態により詳しく説明する。図面の目的は、ただ明細書を意思表明と支持するのみであり、必ずしも本発明を実施した真割合と精確な配置でない。よって、追加される図面の割合と配置の関係から本発明に対する請求範囲に限定されるべきではない。【００１９】  図１、図２、図３に示すのは、本発明の立体分解図、立体組合せ図、組合せ断面図である。本発明のランプの改良装置は、好ましい実施の形態において、第１フラッシュボード１、第２フラッシュボード２、ランプソケット３を含む。【００２０】  第１フラッシュボード１は、表面が選択的に直列又は並列によって複数のランプボディ１２が設けられる。ランプボディ１２は、本実施の形態において、ＬＥＤであり、これによって本発明に限定されない。他の様々な発光可能である素子は、本発明の保護範囲に属する。又、第１フラッシュボード１の中央下部に下のスロット１１及びその下方がランプボディ１２と電気的に接続させる２ポール１３１を形成する２嵌合部１３が設けられる。【００２１】  第２フラッシュボード２は、交互に第１フラッシュボード１に挿入されて、表面が選択的に直列又は並列によって複数のランプボディ２２が設けられる。ランプボディ２２は、本実施の形態において、ＬＥＤであり、同じでこれによって本発明に限定されない。他の様々な発光可能である素子は、本発明の保護範囲に属する。又、第２フラッシュボード２の中央上部に第１フラッシュボード１における下のスロット１１に対応する上のスロット２１及びその下方がランプボディ２２と電気的に接続させる２ポール２３１を形成する嵌合部２３が設けられる。【００２２】  ランプソケット３は、第１フラッシュボード１と第２フラッシュボード２の下方に設けられ、そのランプソケット内に回路基板３１及び交互に挿入される第１フラッシュボード１、第２フラッシュボード２に対応する下方はポール１３１、２３１を有する嵌合部１３、２３のソケット３１１が設けられる。回路基板３１は、交互に挿入される第１フラッシュボード１、第２フラッシュボード２の間にあって、又、直列して上方、下方が暗域を生成するのを防ぐために、少なくとも４ランプボディ３２が設けられる。ランプボディ３２は、本実施の形態において、ＬＥＤであり、これによって本発明に限定されない。他の様々な発光可能である素子は、本発明の保護範囲に属する。【００２３】  図４に示すのは、本発明が光源を生成する作用図である。本発明は、組み立てる時、ランプボディ１２を有する第１フラッシュボード１を第２フラッシュボード２に挿入する必要だけである。第１フラッシュボード１と第２フラッシュボード２にそれぞれ下のスロット１１と上のスロット２１が設けられるので、両者が交互に挿入される時、下のスロット１１と上のスロット２１を組み合わせて、第１フラッシュボード１と第２フラッシュボード２をクリスクロスに形成させる。この時、クリスクロスになって下方にポール１３１、２３１が設けられる嵌合部１３、２３をランプソケット３の回路基盤３１に挿入され、クリスクロスに対応するソケット３１１内、オンにさせる。【００２４】  本発明は、第１フラ���シュボード１、第２フラッシュボード２に複数のランプボディ１２、２２が設けられ、交互に挿入される。ランプボディ１２、２２と生成する光源４をかなり集中させることができる。上方、下方が生成する暗域を防ぐために、ランプソケット３における第１フラッシュボード１と第２フラッシュボード２の間の回路基盤３１に設けられる少なくとも４ランプボディ３２によって、それぞれ投射される。光源４は、有効的に八方から射出される。又、本発明の第１フラッシュボード１と第２フラッシュボード２の形は、使用者が求める形によって様々な形になる。【００２５】  この構成により、本発明は構成の簡素化、光源４の集め、迅速で容易な組み立て、材料コストの削減、有効的な発光効率、省エネと二酸化炭素削減という効果を向上させることができる。よって、進歩、実用と使用者のニーズに適うという効果が見られる。【００２６】  上述のように、本発明は、先行技術を超えて、確かに効果を向上させることに達成して、当業者が容易に考えられるものではない。【００２７】  上記各実施の形態は、本発明の技術的思想と特徴を説明するだけで、その目的が当業者に本発明の内容を理解させて、実施を行う可能である。尚、上記各実施の形態は、本発明の請求範囲に限定されず、即ち、本発明が開示されている思想から変更又は修飾するのは、本発明の請求範囲に含まれる。
【符号の説明】
【００２８】  １…第１フラッシュボード  １１…下のスロット  １２…ランプボディ  １３…嵌合部  １３１…ポール  ２…第２フラッシュボード  ２１…上のスロット  ２２…ランプボディ  ２３…嵌合部  ２３１…ポール  ３…ランプソケット  ３１…回路基板  ３１１…ソケット  ３２…ランプボディ  ５…プレート  ５０…プラグ  ５１‥ＬＥＤ  ５４…固定架  ５４１…挿入孔
【図１】
2014183036.tif 000003
【図２】
2014183036.tif 000004
【図３】
2014183036.tif 000005
【図４】
2014183036.tif 000006
【図５】
2014183036.tif 000007
【図６】
2014183036.tif 000008
【図７】
2014183036.tif 000009